(57)【要約】      （修正有）【課題】ドリル穴内での定着およびアンカー体での定着が最適に実行され、製造が簡単なグラウンドおよびロックアンカーを提供する。【解決手段】長手方向に安定した可撓性の引張部材１中に引張部材１が一方の端部区域４で固定されるアンカー体２、および引張部材１がもう一方の端部区域６で保持されるアンカーヘッド装置を備える、グラウンドおよびロックアンカー３。前記アンカー体は、地盤中または岩盤中のドリル穴に導入され、そこで定着されるように設計される。長手方向に安定した可撓性の引張部材１はアンカー体２内に固定される少なくとも一方の端部区域４に少なくとも一つの第一のループ５を備える。アンカー体２は、硬化性組成物によって形成される実質的に角柱形または円筒形の長手状の本体８であり、それによって、長手方向に安定した可撓性の引張部材１の少なくとも一つの第一のループ５が取り囲まれている。【選択図】図１
2015021383.tif 000002
【特許請求の範囲】
【請求項１】
長手方向に安定した可撓性の引張部材（１）、中に引張部材（１）が一方の端部区域（４）で固定されるアンカー体（２）、および引張部材（１）がもう一方の端部区域（６）で保持されているアンカーヘッド装置（１６）を備え、該アンカー体（２）が地盤中または岩盤中のドリル穴（１５）内に導入され、そこで定着されるように設計された、グラウンドおよびロックアンカーであって、長手方向に安定した可撓性の引張部材（１）がアンカー体（２）内に固定された少なくとも一方の端部区域（４）において少なくとも一つの第一のループ（５’、５’’、５’’’）を備え、および、アンカー体（２）が硬化性組成物によって形成される実質的に角柱形または円筒形の長手状の本体（８）であり、それによって、長手方向に安定した可撓性の引張部材（１）の少なくとも一つの第一のループ（５’、５’’、５’’’）が取り囲まれていることを特徴とする、グラウンドおよびロックアンカー。
【請求項２】
長手方向に安定した可撓性の引張部材（１）が繊維強化プラスチック材料で作製されることを特徴とする、請求項１に記載のグラウンドおよびロックアンカー。
【請求項３】
長手方向に安定した可撓性の引張部材（１）が、複数の層からなり、アンカー体（２）内に固定される一方の端部区域（４）において、各層または層の束が、いずれの場合にも、分離した第一のループ（５’、５’’、５’’’）を形成し、その分離した第一のループ（５’、５’’、５’’’）が各々異なる長さを有することを特徴とする、請求項１または２に記載のグラウンドおよびロックアンカー。
【請求項４】
アンカー体（２）が作製される硬化性組成物がモルタル系組成物であることを特徴とする、請求項１〜３のいずれか一つに記載のグラウンドおよびロックアンカー。
【請求項５】
アンカー体（２）の表面（１０）が構造物（１１）を備えることを特徴とする、請求項１〜４のいずれか一つに記載のグラウンドおよびロックアンカー。
【請求項６】
構造物（１１）が、アンカー体（２）の表面（１０）上に突出したリブ（１２）からなり、そのリブは引張部材（１）およびアンカー体（２）に作用する力の引っ張る方向に対してほぼ横断方向に向いていることを特徴とする、請求項５に記載のグラウンドおよびロックアンカー。
【請求項７】
アンカー体（２）が引張リング（１３）によって少なくともその長さのサブ区域において取り囲まれていることを特徴とする、請求項１〜６のいずれか一つに記載のグラウンドおよびロックアンカー。
【請求項８】
引張部材（１）の入口区域において、引張リング（１３）がアンカー体（２）内に配置されることを特徴とする、請求項８に記載のグラウンドおよびロックアンカー。
【請求項９】
引張リング（１３）が、アンカー体（２）内の引張部材（１）の第一のループ（５’、５’’、５’’’）の端部区域に各々配置されることを特徴とする、請求項７または８に記載のグラウンドおよびロックアンカー。
【請求項１０】
引張部材（１）のもう一方の端部区域（６）が第二のループ（７）の形態を取ることを特徴とする、請求項１〜９のいずれか一つに記載のグラウンドおよびロックアンカー。
【請求項１１】
引っ張る方向に対して横断方向に配置されたボルト（１９）がアンカーヘッド装置（１６）内に備えられることを特徴とする、請求項１〜１０のいずれか一つに記載のグラウンドおよびロックアンカー。
【請求項１２】
第二のループ（７）がボルト（１９）上に据えられることを特徴とする、請求項１１に記載のグラウンドおよびロックアンカー。
【請求項１３】
ボルト（１９）が、アンカーヘッド装置（１６）内に配置された張力装置内に取り付けられることを特徴とする、請求項１１または１２に記載のグラウンドおよびロックアンカー。
【発明の詳細な説明】
【技術分野】
【０００１】
本発明は、長手方向に安定した可撓性の引張部材、中に引張部材が一方の端部区域で固定されるアンカー体、および引張部材がもう一方の端部で保持されているアンカーヘッド装置を備える、グラウンドおよびロックアンカーに関するものであり、アンカー体は地盤中または岩盤中のドリル穴に導入され、そこで定着されるように設計されている。
【背景技術】
【０００２】
そのようなグラウンドおよびロックアンカーは、特に、安定化すべき地盤および岩塊の表面区域において、アンカー体によって吸収されるべき力をより深部にある安定した土層に導入することによって、勾配および岩盤の表面を安定化させることに役立つ。アンカー体からより深部にある土層へとこれらの力を移動させるために、従来、より深い土層に定着される、棒またはワイヤストランドから形成された引張部材が使用される。この目的のため、これらの棒またはワイヤストランドは、対応するドリル穴に注入されたモルタル組成物を使用して固定される。アンカーヘッド装置によって引張部材に張力をかけることが可能であり、一方、上で支持部分が支持されているアンカープレートによって表面土または岩塊を適切に安定化させることができる。
【０００３】
そのようなグラウンドおよびロックアンカーは永久使用を意図するものであり、すなわち、グラウンドおよびロックアンカーの対応する構成部品は特に腐食に対して保護されなければならないことを意味する。この目的のために、様々な方法が公知であり、例えば、引張部材をプラスチックシース内に挿入するか、または、引張部材をやはり、例えばグリースで充填したプラスチックパイプ内に収容することがある。
【０００４】
腐食防止されたそのようなグラウンドおよびロックアンカーの製造は比較的複雑であり、特に、また、そのようなグラウンドおよびロックアンカーを設置した状態でテストして、腐食が生じるか、そのようなグラウンドおよびロックアンカーの強度に何が極めてマイナスな作用を有するのかを確証することが必要である。そのようなモニタリング作業は例えば耐性測定による公知の方法で実行されるが、それもまた複雑である。
【発明の概要】
【発明が解決しようとする課題】
【０００５】
本発明の根本的な問題は、製造が簡単なグラウンドおよびロックアンカーを提供することであり、また、それによって特にドリル穴内での定着および同様にアンカー体での定着が最適に実行され得る。
【課題を解決するための手段】
【０００６】
本発明によると、この問題は、長手方向に安定した可撓性の引張部材が、アンカー体内に固定された少なくとも一方の端部区域に少なくとも一つの第一のループを備えていること、および、そのアンカー体が硬化性組成物で形成された、実質的に角柱形または円筒形の長手状の本体であり、それによって、長手方向に安定した可撓性の引張部材の少なくとも一つの第一のループが取り囲まれていることによって解決される。
【０００７】
アンカー体内に固定される長手方向に安定した可撓性の引張部材の少なくとも一つの第一のループを有するアンカー体は、あらかじめ作製されており、したがって、アンカー体におけるこのループの固定が最適であることが保証されている。硬化性組成物から形成され、固定された引張部材を有するこの長手状の本体は、ドリル穴に挿入され、さらにドリル穴に硬化性組成物を注入することによって、長手状の本体はドリル穴の底部で定着され、最適に保持される。
【０００８】
長手方向に安定した可撓性の引張部材は、繊維強化プラスチック材料、好ましくは炭素繊維強化プラスチック材料によって有利に作製され、それによって腐食を排除できる。そのような引張部材は、さらに、曲げやすいという利点を有する。すなわち、可撓性の引張部材はグラウンドおよびロックアンカーの輸送のために例えば巻き上げることができ、したがって、そのようなロックアンカーの長さ方向の広がりについて空間を節約する。長手方向に安定した可撓性の引張部材の巻き上げまたは曲げの可能性によって、空間要件は、グラウンドおよびロックアンカーの挿入時にドリル穴の正面に最小量だけの空間が必要であることになる。
【０００９】
有利には、長手方向に安定した可撓性の引張部材は、複数の層からなり、アンカー体内に固定されている一方の端部区域において、各層または一束の層はいずれの場合にも分離した第一のループを形成し、その分離した第一のループは各々異なる長さを有する。これにより、この引張部材をアンカー体内に漸進的に固定することができ、それによって、定着および力の吸収が著しく改善される。
【００１０】
本発明のさらに有利な構成は、アンカー体が作製される硬化性組成物が、モルタル系組成物であるということにある。このモルタル系組成物を、可撓性の引張部材の一方の端部区域が挿入された鋳型内に流し込むことができ、それによって、硬化後のモルタル系組成物と可撓性引張部材の第一のループとの間の固定的接着が確実になる。
【００１１】
有利には、アンカー体の表面は、アンカー体が製造され、かつ第一のループが鋳造される鋳型内で用意され得る構造物を備えており、それによって、アンカー体の表面とドリル穴内に注入された硬化性組成物との間に最適な接着が生じる。
【００１２】
有利には、構造物は、アンカー体の表面上に突出するリブからなり、そのリブは引張部材およびアンカー体に作用する力の引っ張る方向に対してほぼ横断方向に向いており、それによって最適な固定がなされる。
【００１３】
本発明のさらに有利な構成は、アンカー体が少なくともその長さのサブ区域において引張リングによって取り囲まれていることからなる。これらの引張リングは、モルタル系組成物から硬化した長手状の本体がこれらの区域で破断するのを防ぐ。
【００１４】
有利には、ある一つの引張リングは、引張部材のアンカー体内への入口区域での力の吸収が極めて大きいので、この区域に配置される。
【００１５】
有利には、これらの引張リングは、アンカー体内の引張部材の第一のループの端部区域において破断のリスクがその最大であるので、これらの区域に各々配置される。
【００１６】
本発明のさらに有利な構成は、引張部材のもう一方の端部を第二のループとして形成することからなる。その結果、引張部材はエンドレスループとして製造され得、これがその強度に良好な効果をもたらす。
【００１７】
有利には、アンカーヘッド装置内に、引っ張る方向に対して横断方向に配置されたボルトが備えられており、その上に引張部材の第二のループを単純に据えつけると、引張部材をアンカーヘッド装置内で最適に保持させることができる。
【００１８】
ボルトは、アンカーヘッド装置内に配置された張力装置内に取り付けられ、それによって、ボルトを移動させることによってより大きいまたは小さい範囲で引張部材に簡単に張力をかけることができる。
【００１９】
本発明の一実施態様は、例として下記の添付図面を参照してより詳細に説明される。
【図面の簡単な説明】
【００２０】
【図１】アンカー体に挿入したグラウンドおよびロックアンカーの引張部材の三次元表示を示す図である。
【図２】複数の第一のループおよび第二のループを有する引張部材の三次元表示を示す図である。
【図３】図５の線ＩＩＩ−ＩＩＩに沿った、引張部材および引張リングが挿入されたアンカー体の断面図を示す図である。
【図４】図５の線ＩＶ−ＩＶに沿った、引張部材および引張リングが挿入されたアンカー体の断面図を示す図である。
【図５】図４の線Ｖ−Ｖに沿った、引張部材が挿入されたアンカー体の断面図を示す図である。
【図６】基層に挿入されたときの、本発明によるグラウンドおよびロックアンカーを示す図である。
【図７】基層に挿入されたときの、本発明によるグラウンドおよびロックアンカーの断面図を示す図である。
【図８】挿入された状態のアンカーヘッド装置の断面図を示す図である。
【図９】基層に挿入されたときの、引張部材が挿入されたアンカー体を示す図である。
【発明を実施するための形態】
【００２１】
図１は、グラウンドおよびロックアンカー３の長手方向に安定した可撓性の引張部材１とアンカー体２とを図示している。この引張部材１の一方の端部区域４はアンカー体２内に固定されている。アンカー体２は、硬化性組成物、特にモルタル系組成物からなり、アンカー体２と引張部材１との間の接着は、引張部材１の一方の端部区域４が、硬化性組成物によって充填された鋳型または型枠内に挿入されることによって実現される。この組成物の硬化後、鋳型またはシェルを除去することができ、引張部材の一方の端部区域４が中に固定され最適に保持されている、アンカー体２が得られる。このアンカー体２は、この例示的実施態様では長手状の本体８によって形成されており、その形状は円筒形である。この長手状の本体８が角柱状またはその他の適した形状であることも実現可能であることは言うまでもない。この場合、引張部材１の一方の端部区域４は第一のループ５の形状を取り、さらに下記に説明するように、引張部材１は複数の第一のループ５を備え得る。
【００２２】
引張部材１のもう一方の端部区域６は第二のループ７の形状を取り、それは下記に詳細に記載するように、アンカーヘッド装置（図示せず）内にしっかり固定できる。
【００２３】
図２は、長手方向に安定した可撓性の引張部材１を図示したものである。この引張部材１は、繊維強化プラスチック材料、好ましくは炭素繊維強化プラスチック材料で形成されるが、ガラス繊維強化プラスチック材料または他の適した強化プラスチック材料でも実現可能である。この引張部材１を製造するために、炭素繊維強化プラスチック材料の複数の層を使用することができるが、これらの層の各々または層の束はエンドレスループを形成する。最も内側の層または層の束は第一のループ５’を形成し、第二または中央の層または層の束は第一のループ５’’を形成し、最も外側の層または層の束は第一のループ５’’’を形成し、これらの三つの第一のループ５’、５’’、５’’’は異なる長さを有する。第二のループ７の区域でこれらの層は全部重ねられ、それによって、単一の第二のループ７を形成する。引張部材１の中央区域で、ループを形成する全ての層は重ねられるように配置される。これらの層の各々はバンドを形成し、したがって、引張部材１の中央区域９は複数の重ねられたバンドからなる。これらのバンドはその長さ全体をラミネート加工されるか、または、複数のゾーンにおいて交互にラミネート加工されるだけでもよい。グラウンドおよびロックアンカーを適用する態様に応じて、他の数の層またはループを選択することができるのは言うまでもない。また、層は重ねられて、および／または互いに隣り合わせて配置することができ、その結果、長さの異なるループを互いに隣り合わせて配置することも実現可能である。加えて長いループには収縮性を備えることもできる。
【００２４】
図３および４は、アンカー体２を形成する長手状の本体８を図示している。図４は、特に、長手状の本体８を形成する硬化性組成物に埋め込まれたものとして第一のループ５’、５’’、５’’’を図示している。第一のループ５’、５’’、５’’’のこの配置によって、モルタル系組成物によって形成された、長手状の本体８内での最適な固定が確実にされる。従来、公知の高強度のモルタル系組成物が使用される。このモルタル系組成物は、また、その強化追加のため繊維性材料と公知の方法で混合され得る。
【００２５】
図３および４で同様に明らかなように、アンカー体２を形成する長手状の本体８の表面１０はその表面１０上に突出した構造物１１を備える。ここで図示した例示的な実施態様では、これらの構造物１１はリブ１２の形状を取り、引張部材１に作用する力の引っ張る方向に対してほぼ横断方向に向いており、例えば、らせん状に伸びるリブ１２の形態を取る。これらの構造物１１またはリブ１２は鋳造鋳型の表面内に組み込まれており、鋳造プロセスを使用する長手状の本体８の製造時に、これらは長手状の本体の表面１０上に再現される。
【００２６】
第一のループ５’、５’’、５’’’の端部区域内および引張部材１のアンカー体２内への入口区域内で、長手状の本体８は、いずれの場合にも、下記にさらに詳細に記載するように、引張リング１３によって取り囲まれている。これらの引張リング１３は、特に、引張部材１のアンカー体２内への入口区域内および第一のループ５’、５’’、５’’’の区域内において長手状の本体８を補強するのに役立つ。これらの区域では、グラウンドおよびロックアンカーが装着されるときモルタル系組成物の破断の危険性をそれによって最小化する。
【００２７】
図５はアンカー体２を形成する長手状の本体８の横断面を図示している。モルタル系組成物から構成されるこの長手状の本体８には、第一のループ５’または５’’ または５’’’が埋め込まれている。引張リング１３はいずれの場合にも、上述したように、ループの端部区域において長手状の本体８の周囲にはめ込まれている。同様に炭素繊維強化プラスチック材料から構成され得るこの引張リング１３は、第一のループ５’、５’’、５’’’の区域において長手状の本体８を取り囲み、これらの区域におけるモルタル系組成物の破断が防止され、したがって、アンカー体２を補強するのに役立つ。図５は、また、長手状の本体８の表面１０上に突出したリブ１２を図示している。
【００２８】
図６および７は、安定化すべき基層１４内に挿入された本発明によるグラウンドおよびロックアンカー３を図示している。この目的で、引張部材１のアンカー体２を有する一方の端部区域４が、基層１４内のドリル穴１５内に導入される。挿入の目的で、公知の方法で、例えば長手状の本体８をドリル穴１５内へと押すための棒のような補助器具を使用できる。アンカー体２のドリル穴１５内での正確な位置決定後、公知の方法で硬化性組成物がアンカー体２およびドリル穴１５の壁の周囲の空洞内へと注入され、ひとたびこの充填材料が硬化したならば、アンカー体２と基層１４との間に最適な接着が実現される。
【００２９】
第二のループ７の形態を取る、グラウンドおよびロックアンカー３のもう一方の端部区域６は、アンカーヘッド装置１６内にしっかりと固定され、下記に見られるように、張力装置の形態を取る。挿入されたそのようなグラウンドおよびロックアンカー３は、７０ｍまたはそれ以上の長さを有し得る。そのような長さでは、引張部材１を複数の部分にさらに分割して、連結手段を使用してそれらを接合させることが便利であり、それにより取扱いを単純にし得る。長手状の本体８は、軽く６ｍの長さを有することがあり、それによって、安定化すべき基層１４のドリル穴１５内での最適な定着が実現され得る。
【００３０】
図８はアンカーヘッド装置１６を図示しており、それによって、グラウンドおよびロックアンカー３の引張部材１のもう一方の端部区域６が保持されている。アンカーヘッド装置１６は、二つの長手状のスロット１８を備える支持用スターラップ１７から構成される。ボルト１９がこれらの長手状のスロット１８に挿入される。引張部材１の第二のループ７は、このボルト１９上に据えつけられる。ボルト１９は、長手状のスロット１８の方向で引張部材１の第二のループ７と一緒に張力をかけられることができる。このために、締め付けねじ２０が備えられており、これはボルト１９内へとねじ留めされ、支持用スターラップ１７で支持されている。これによって、望まれる張力まで引張部材１に簡単に張力をかけることが可能である。支持用スターラップ１７は、傾斜を吸収する、対応して形成された支持部分２１に支持され、前記支持プレートは、例えばコンクリートから構成され得る、更なるプレート２２上に配置されており、それによって基層は表面区域で安定化される。アンカーヘッド装置１６は、公知であるが図示していない方法で腐食から保護されている。
【００３１】
図９は、また、グラウンドおよびロックアンカー３の長手状の本体８および基層に定着されたアンカー体２とともに一方の端部区域４を図示している。ドリル穴１５を通して案内された引張部材１は、自由なままにしてもよいが、適切な硬化性組成物によってドリル穴を先端まで充填することも実現可能である。
【００３２】
そのようなグラウンドおよびロックアンカーは製造するのが簡単であり、安定化すべき基層内へのアンカー体を介した力の導入は最適であり、引張部材はいかなる腐食も受けず、したがって、対応する検査の手間を省くことができる。そのようなグラウンドおよびロックアンカーは、簡単に基層に挿入され、また、引張部材が可撓性であり巻き上げることができるので、それによって空間を大きく節約するので、簡単に輸送することもできる。加えて、引張部材はまたその重量が極めて小さいことで際立っている。引張部材は適切に寸法を決定され、どのような力が吸収される必要があるかに応じて、バンドをより広くおよび／またはより厚くすることができる。
【符号の説明】
【００３３】
１  引張部材
２  アンカー体
３  グラウンドおよびロックアンカー
４  端部区域
５  第一のループ
６  端部区域
７  第二のループ
８  長手状の本体
１１  構造物
１３  引張リング
１６  アンカーヘッド装置
１７  支持用スターラップ
１８  スロット
１９  ボルト
【図１】
2015021383.tif 000003
【図２】
2015021383.tif 000004
【図３】
2015021383.tif 000005
【図４】
2015021383.tif 000006
【図５】
2015021383.tif 000007
【図６】
2015021383.tif 000008
【図７】
2015021383.tif 000009
【図８】
2015021383.tif 000010
【図９】
2015021383.tif 000011
【外国語明細書】
2015021383000001.pdf